(57)【要約】【課題】光利得一定制御時にＯｐｓからの制御を不要とし、人的コストを削減できる光伝送装置を得る。【解決手段】各チャネルに対応するトランスポンダ１ａ、１ｂ、１ｃ、１ｄと、該トランスポンダからの光信号を合波する合波部２と、光増幅部３および該光増幅部の利得を制御する制御部４からなる光増幅器５とから構成される光伝送装置において、各トランスポンダがそれぞれのトランスポンダ内の光源の発光状況を制御部４に通知し、制御部４は各トランスポンダからの発光状況通知に基づき上記光増幅器の光出力が常に一定となるように光増幅部での光増幅の利得を決定し、光増幅部３は制御部４により決定された利得にて光増幅を行う。【選択図】　　　　図１
2004015479.tif 000002
【特許請求の範囲】
【請求項１】
相互に波長の異なる光信号を出力する複数の光信号出力部と、
前記複数の光信号出力部から出力される光信号を入力して合波する合波部と、
前記合波部により合波された合波光信号を入力して所定の利得にて光増幅を行い、光増幅後の合波光信号を外部に出力する光増幅部と、
前記光増幅部での光増幅の利得を決定する制御部とを有し、
各光信号出力部は、それぞれ、
光信号を出力しているか否かを示す発光状況通知を送信し、
前記制御部は、
各光信号出力部から送信された発光状況通知を受信し、受信した発光状況通知に基づき合波光信号における波長多重数を判断し、合波光信号における波長多重数に応じて前記光増幅部での光増幅の利得を決定し、
前記光増幅部は、
前記制御部により決定された利得にて光増幅を行うことを特徴とする光伝送装置。
【請求項２】
前記制御部は、
前記光増幅部からの光増幅後の合波光信号の光出力レベルが一定となるように前記光増幅部の光増幅の利得を決定することを特徴とする請求項１に記載の光伝送装置。
【請求項３】
前記光伝送装置は、更に、
前記複数の光信号出力部のいずれかに接続し、接続している光信号出力部からの発光状況通知を平衡伝送する少なくとも一つ以上の平衡伝送部と、
前記制御部に接続し、平衡伝送部のそれぞれより平衡伝送された発光状況通知を受信する平衡伝送受信部とを有し、
前記制御部は、
前記複数の光信号出力部のうち特定の光信号出力部については、前記平衡伝送受信部を介して発光状況通知を受信することを特徴とする請求項１に記載の光伝送装置。
【請求項４】
前記光伝送装置は、更に、
前記複数の光信号出力部のいずれかに接続し、接続している光信号出力部からの発光状況通知にパリティデータを付加し、パリティデータが付加された発光状況通知を送信する少なくとも一つ以上のパリティデータ付加部と、
前記制御部に接続し、パリティデータ付加部のそれぞれよりパリティデータが付加された発光状況通知を受信し、受信したそれぞれの発光状況通知についてパリティデータを用いて所定の誤り制御を行うパリティチェック部とを有し、
前記制御部は、
前記複数の光信号出力部のうち特定の光信号出力部については、前記パリティチェック部を介して発光状況通知を受信することを特徴とする請求項１に記載の光伝送装置。
【請求項５】
前記光伝送装置は、更に、
前記複数の光信号出力部のいずれかに接続し、接続している光信号出力部からの発光状況通知にＣＲＣ（Ｃｙｃｌｉｃ　Ｒｅｄｕｎｄａｎｃｙ　Ｃｈｅｃｋ）符号を付加し、ＣＲＣ符号が付加された発光状況通知を送信する少なくとも一つ以上のＣＲＣ符号暗号化部と、
前記制御部に接続し、ＣＲＣ符号暗号化部のそれぞれよりＣＲＣ符号が付加された発光状況通知を受信し、受信したそれぞれの発光状況通知についてＣＲＣ符号を用いて所定の誤り制御を行うＣＲＣ符号復号化部とを有し、
前記制御部は、
前記複数の光信号出力部のうち特定の光信号出力部については、前記ＣＲＣ符号復号化部を介して発光状況通知を受信することを特徴とする請求項１に記載の光伝送装置。
【請求項６】
相互に波長の異なる光信号を出力する複数の光信号出力工程と、
前記複数の光信号出力工程から出力される光信号を入力して合波する合波工程と、
前記合波工程により合波された合波光信号を入力して所定の利得にて光増幅を行い、光増幅後の合波光信号を出力する光増幅工程と、
前記光増幅工程での光増幅の利得を決定する制御工程とを有し、
各光信号出力工程では、
光信号が出力されているか否かを示す発光状況通知が送信され、
前記制御工程では、
各光信号出力工程で送信された発光状況通知が受信され、受信された発光状況通知に基づき合波光信号における波長多重数が判断され、合波光信号における波長多重数に応じて前記光増幅工程での光増幅の利得が決定され、
前記光増幅工程では、
前記制御工程で決定された利得にて光増幅が行われることを特徴とする光伝送方法。
【発明の詳細な説明】
【０００１】
【発明の属する技術分野】
本発明は、波長多重分割伝送を行う光伝送装置及び光伝送方法に関する。
【０００２】
【従来の技術】
波長多重伝送装置における送信装置に適用される光増幅装置は、希土類をドープした光ファイバ増幅器を用いる場合が一般的であり、複数の波長の光信号を合波した波長多重光信号と励起レーザダイオードからの励起光とを光ファイバ増幅器に入力し、その出力光が所定値となるように増幅利得を制御する光利得一定制御を行なう構成が知られている。
【０００３】
この光ファイバ増幅器の出力波長多重光信号を光可変減衰器に入力し、その出力光を検出して光減衰量を制御し、波長多重光信号レベルを所定値の範囲とする光出力一定制御手順を設けることも知られている。
【０００４】
また、この波長多重光信号レベルの所定値を通知する方式として、オペレーションシステム（Ｏｐｅｒａｔｉｏｎ　Ｓｙｓｔｅｍｓ：ＯｐＳ）から、システムの導入・増減設時等に通知する制御方式もある。
【０００５】
【発明が解決しようとする課題】
従来の波長多重伝送装置は以上のように構成されているので、波長の増減設時の利得一定制御時には常にＯｐＳからの制御が必要であり、また、光増幅器が搭載されるラックと別ラックに搭載されるトランスポンダの発光状況を光増幅器の制御部に通知する際の信頼性の向上などの問題点があった。
【０００６】
この発明は上記のような問題点を解消するためになされたもので、トランスポンダ内の光源の発光状況をハードウェア間で通知することにより、光増幅器の各波長出力が常に一定となるようにし、上記によりＯｐＳからの制御が不要となるため、人的コストを削減でき、また、光増幅器が搭載されるラックと別ラックに搭載されるトランスポンダの発光状況を光増幅器の制御部に通知する際の信頼性の向上ができる光伝送装置及び光伝送方法を実現することを目的とする。
【０００７】
【課題を解決するための手段】
本発明に係る光伝送装置は、
相互に波長の異なる光信号を出力する複数の光信号出力部と、
前記複数の光信号出力部から出力される光信号を入力して合波する合波部と、
前記合波部により合波された合波光信号を入力して所定の利得にて光増幅を行い、光増幅後の合波光信号を外部に出力する光増幅部と、
前記光増幅部での光増幅の利得を決定する制御部とを有し、
各光信号出力部は、それぞれ、
光信号を出力しているか否かを示す発光状況通知を送信し、
前記制御部は、
各光信号出力部から送信された発光状況通知を受信し、受信した発光状況通知に基づき合波光信号における波長多重数を判断し、合波光信号における波長多重数に応じて前記光増幅部での光増幅の利得を決定し、
前記光増幅部は、
前記制御部により決定された利得にて光増幅を行うことを特徴とする。
【０００８】
前記制御部は、
前記光増幅部からの光増幅後の合波光信号の光出力レベルが一定となるように前記光増幅部の光増幅の利得を決定することを特徴とする。
【０００９】
前記光伝送装置は、更に、
前記複数の光信号出力部のいずれかに接続し、接続している光信号出力部からの発光状況通知を平衡伝送する少なくとも一つ以上の平衡伝送部と、
前記制御部に接続し、平衡伝送部のそれぞれより平衡伝送された発光状況通知を受信する平衡伝送受信部とを有し、
前記制御部は、
前記複数の光信号出力部のうち特定の光信号出力部については、前記平衡伝送受信部を介して発光状況通知を受信することを特徴とする。
【００１０】
前記光伝送装置は、更に、
前記複数の光信号出力部のいずれかに接続し、接続している光信号出力部からの発光状況通知にパリティデータを付加し、パリティデータが付加された発光状況通知を送信する少なくとも一つ以上のパリティデータ付加部と、
前記制御部に接続し、パリティデータ付加部のそれぞれよりパリティデータが付加された発光状況通知を受信し、受信したそれぞれの発光状況通知についてパリティデータを用いて所定の誤り制御を行うパリティチェック部とを有し、
前記制御部は、
前記複数の光信号出力部のうち特定の光信号出力部については、前記パリティチェック部を介して発光状況通知を受信することを特徴とする。
【００１１】
前記光伝送装置は、更に、
前記複数の光信号出力部のいずれかに接続し、接続している光信号出力部からの発光状況通知にＣＲＣ（Ｃｙｃｌｉｃ　Ｒｅｄｕｎｄａｎｃｙ　Ｃｈｅｃｋ）符号を付加し、ＣＲＣ符号が付加された発光状況通知を送信する少なくとも一つ以上のＣＲＣ符号暗号化部と、
前記制御部に接続し、ＣＲＣ符号暗号化部のそれぞれよりＣＲＣ符号が付加された発光状況通知を受信し、受信したそれぞれの発光状況通知についてＣＲＣ符号を用いて所定の誤り制御を行うＣＲＣ符号復号化部とを有し、
前記制御部は、
前記複数の光信号出力部のうち特定の光信号出力部については、前記ＣＲＣ符号復号化部を介して発光状況通知を受信することを特徴とする。
【００１２】
本発明に係る光伝送方法は、
相互に波長の異なる光信号を出力する複数の光信号出力工程と、
前記複数の光信号出力工程から出力される光信号を入力して合波する合波工程と、
前記合波工程により合波された合波光信号を入力して所定の利得にて光増幅を行い、光増幅後の合波光信号を出力する光増幅工程と、
前記光増幅工程での光増幅の利得を決定する制御工程とを有し、
各光信号出力工程では、
光信号が出力されているか否かを示す発光状況通知が送信され、
前記制御工程では、
各光信号出力工程で送信された発光状況通知が受信され、受信された発光状況通知に基づき合波光信号における波長多重数が判断され、合波光信号における波長多重数に応じて前記光増幅工程での光増幅の利得が決定され、
前記光増幅工程では、
前記制御工程で決定された利得にて光増幅が行われることを特徴とする。
【００１３】
【発明の実施の形態】
実施の形態１．
以下にこの発明の実施の形態１を図１に従って説明する。
図１は、本実施の形態に係る光伝送装置の構成を示す図であり、図１において、１ａ、１ｂ、１ｃ、１ｄは各チャネルに対応するトランスポンダ（光信号出力部）、２は該トランスポンダからの光信号を合波する合波部、３は該合波部からの合波光信号を所定の利得にて光増幅する光増幅部、４は該光増幅部の光増幅利得を制御する制御部、５は該光増幅部および該制御部からなる光増幅器である。
【００１４】
次に動作について説明する。
各チャネルに対応するトランスポンダ１ａ、１ｂ、１ｃ、１ｄから送信された光信号は合波部２にて合波され、この合波された合波光信号は、光増幅部３および該光増幅部の利得を制御する制御部４からなる光増幅器５に入力され、光増幅器の各波長出力一定制御後、光増幅後の合波光信号が伝送路に出力される。
【００１５】
トランスポンダ１ａ、１ｂ、１ｃ、１ｄは該トランスポンダ内の光源の発光状況（光信号の出力有無）を監視し、発光状況を通知する発光状況通知を制御部４に送信する。該制御部は上記トランスポンダ内の光源の発光状況を各トランスポンダから通知されることにより、光増幅器５が受信している波長数、すなわち、合波光信号における波長多重数を算出し、算出した波長多重数をもとに光増幅後の合波光信号の光出力が常に一定となるように光増幅部３での光増幅の利得を決定する。例えば、波長多重数が減少した場合には光増幅の利得を増加させ、波長多重数が増加した場合には光増幅の利得を減少させ、合波光信号における波長多重数にかかわらず光増幅部３からの光増幅後の合波光信号の光出力レベルが常に一定になるように制御する。
そして、光増幅部３では、制御部４により決定された利得にて合波光信号の光増幅を行い、光増幅後の合波光信号を外部に出力する。
【００１６】
このように、本実施の形態では、各トランスポンダと制御部との間の発光状況通知の送受信により光増幅の利得を決定し、光増幅器の各波長出力が常に一定になるようにしている。本実施の形態に係る光伝送装置によれば、発光状況通知の送受信をハードウェア間で行うため処理の高速化が図れ、また、各トランスポンダの発光状況を監視する機構を追加する必要がないので部品点数を抑えることができる。
【００１７】
実施の形態２．
以下、発明の実施の形態２を図２に従って説明する。
図２は、本実施の形態に係る光伝送装置の構成を示す図である。
発明の実施の形態１は、光増幅器５とトランスポンダ１ａ、１ｂ、１ｃ、１ｄが同一ラックに搭載される場合の形態であるが、発明の実施の形態２は光増幅器５とトランスポンダ１ｅ、１ｆが異なるラックに搭載されるような場合の形態である。
【００１８】
光増幅器５と異なるラックに搭載されるトランスポンダ１ｅ、１ｆ内の光源の発光状況通知をラック間で伝搬させると、外来ノイズの影響を受ける。このため、データの保護のために、各トランスポンダに不平衡／平衡変換回路（平衡伝送部）６、７を追加、光増幅器５に平衡／不平衡変換回路（平衡伝送受信部）８を追加することで、上記発光状況通知を平衡伝送し制御部４に通知する。
つまり、不平衡／平衡変換回路６、７は、それぞれ接続しているトランスポンダ１ｅ、１ｆからの発光状況通知を平衡伝送し、制御部４はトランスポンダ１ｅ、１ｆからは平衡／不平衡変換回路８を介して発光状況通知を受信し、トランスポンダ１ａ、１ｂからは発光状況通知を直接受信し、合波光信号における波長多重数を算出し、これに基づき光増幅の利得を決定する。以降の動作は実施の形態１と同様である。
【００１９】
このように、本実施の形態では、光増幅器と異なるラックに搭載されたトランスポンダについては発光状況通知を平衡伝送することにより外来ノイズに対する耐性を高めることができ、発光状況通知を送信する際の信頼性を向上させることができる。
【００２０】
実施の形態３．
以下、発明の実施の形態３を図３に従って説明する。
図３は、本実施の形態に係る光伝送装置の構成を示す図である。
発明の実施の形態２と同様に、光増幅器５とトランスポンダ１ｅ、１ｆが異なるラックに搭載されるような場合の形態であり、ラック間で送受信されるデータの保護のために、各トランスポンダにパリティ生成回路（パリティデータ付加部）９、１０を追加、光増幅器５にパリティチェック回路（パリティチェック部）１１を追加することで、上記発光状況通知にパリティデータを付加し制御部４に通知する。
つまり、パリティ生成回路９、１０は、それぞれ接続しているトランスポンダ１ｅ、１ｆからの発光状況通知にパリティデータを付加して送信し、パリティチェック回路１１はパリティ生成回路９、１０から送信された発光状況通知を受信し、パリティデータを用いて発光状況通知について所定の誤り制御を行う。制御部４はトランスポンダ１ｅ、１ｆからはパリティチェック回路１１を介して発光状況通知を受信し、トランスポンダ１ａ、１ｂからは発光状況通知を直接受信し、合波光信号における波長多重数を算出し、これに基づき光増幅の利得を決定する。以降の動作は実施の形態１と同様である。
【００２１】
このように、本実施の形態では、光増幅器と異なるラックに搭載されたトランスポンダについては発光状況通知にパリティデータを付加して送信することにより外来ノイズに対する耐性を高めることができ、発光状況通知を送信する際の信頼性を向上させることができる。
【００２２】
実施の形態４．
以下、発明の実施の形態４を図４に従って説明する。
図４は、本実施の形態に係る光伝送装置の構成を示す図である。
発明の実施の形態２と同様に、光増幅器５とトランスポンダ１ｅ、１ｆが異なるラックに搭載されるような場合の形態であり、ラック間で送受信されるデータの保護のために、各トランスポンダにＣＲＣ（Ｃｙｃｌｉｃ　Ｒｅｄｕｎｄａｎｃｙ　Ｃｈｅｃｋ）符号暗号化回路（ＣＲＣ符号暗号化部）１２、１３を追加、光増幅器５にＣＲＣ符号復号化回路（ＣＲＣ符号復号化部）１４を追加することで、上記発光状況通知にＣＲＣ符号を付加し制御部４に通知する。
つまり、ＣＲＣ符号暗号化回路１２、１３は、それぞれ接続しているトランスポンダ１ｅ、１ｆからの発光状況通知にＣＲＣ符号を付加して送信し、ＣＲＣ符号復号化回路１４はＣＲＣ符号暗号化回路１２、１３から送信された発光状況通知を受信し、ＣＲＣ符号を用いて発光状況通知について所定の誤り制御を行う。制御部４はトランスポンダ１ｅ、１ｆからはＣＲＣ符号復号化回路１４を介して発光状況通知を受信し、トランスポンダ１ａ、１ｂからは発光状況通知を直接受信し、合波光信号における波長多重数を算出し、これに基づき光増幅の利得を決定する。以降の動作は実施の形態１と同様である。
【００２３】
このように、本実施の形態では、光増幅器と異なるラックに搭載されたトランスポンダについては発光状況通知にＣＲＣ符号を付加して送信することにより外来ノイズに対する耐性を高めることができ、発光状況通知を送信する際の信頼性を向上させることができる。
【００２４】
なお、以上の実施の形態１〜４では、本発明に係る光伝送装置について説明したが、実施の形態１〜４に示した動作手順により本発明に係る光伝送方法も実現可能である。
【００２５】
ここで、実施の形態１〜４に示した光伝送装置の特徴を以下にて再言する。
実施の形態１に示す光伝送装置は、
各チャネルに対応するトランスポンダと該トランスポンダからの光信号を合波する合波部と光増幅部および該光増幅部の利得を制御する制御部からなる光増幅器とから構成される光伝送装置であって、上記トランスポンダ内の光源の発光状況を上記制御部に通知することにより上記光増幅器の各波長出力が常に一定となるようにしたことを特徴とする。
【００２６】
実施の形態２に示す光伝送装置は、
各チャネルに対応するトランスポンダと該トランスポンダからの光信号を合波する合波部と光増幅部および該光増幅部の利得を制御する制御部からなる光増幅器を含むラックと、増設用の各チャネルに対応するトランスポンダからなる各ラックから構成される光伝送装置であって、上記光増幅器と同一ラックの上記トランスポンダに搭載される光源の発光状況と上記光増幅器と異なるラックの上記トランスポンダに搭載される光源の発光状況を上記制御部に平衡伝送して通知することにより、外来ノイズに対する耐性を高め、上記光増幅器の各波長出力が常に一定となるようにしたことを特徴とする。
【００２７】
実施の形態３に示す光伝送装置は、
各チャネルに対応するトランスポンダと該トランスポンダからの光信号を合波する合波部と光増幅部および該光増幅部の利得を制御する制御部からなる光増幅器を含むラックと、増設用の各チャネルに対応するトランスポンダからなる各ラックから構成される光伝送装置であって、上記光増幅器と同一ラックの上記トランスポンダに搭載される光源の発光状況と上記光増幅器と異なるラックの上記トランスポンダに搭載される光源の発光状況を上記制御部にパリティを付加して通知することにより、外来ノイズに対する耐性を高め、上記光増幅器の各波長出力が常に一定となるようにしたことを特徴とする。
【００２８】
実施の形態４に示す光伝送装置は、
各チャネルに対応するトランスポンダと該トランスポンダからの光信号を合波する合波部と光増幅部および該光増幅部の利得を制御する制御部からなる光増幅器を含むラックと、増設用の各チャネルに対応するトランスポンダからなる各ラックから構成される光伝送装置であって、上記光増幅器と同一ラックの上記トランスポンダに搭載される光源の発光状況と上記光増幅器と異なるラックの上記トランスポンダに搭載される光源の発光状況を上記制御部にＣＲＣ符号を付加して通知することにより、外来ノイズに対する耐性を高め、上記光増幅器の各波長出力が常に一定となるようにしたことを特徴とする。
【００２９】
【発明の効果】
本発明によれば、発光状況通知の送受信をハードウェア間で行うため処理の高速化が図れ、また、各トランスポンダの発光状況を監視する機構を追加する必要がないので部品点数を抑えることができる。
【００３０】
また、本発明によれば、発光状況通知を平衡伝送することにより外来ノイズに対する耐性を高めることができ、発光状況通知を送信する際の信頼性を向上させることができる。
【００３１】
また、本発明によれば、発光状況通知にパリティデータを付加して送信することにより外来ノイズに対する耐性を高めることができ、発光状況通知を送信する際の信頼性を向上させることができる。
【００３２】
また、本発明によれば、発光状況通知にＣＲＣ符号を付加して送信することにより外来ノイズに対する耐性を高めることができ、発光状況通知を送信する際の信頼性を向上させることができる。
【図面の簡単な説明】
【図１】実施の形態１に係る光伝送装置を示す構成図である。
【図２】実施の形態２に係る光伝送装置を示す構成図である。
【図３】実施の形態３に係る光伝送装置を示す構成図である。
【図４】実施の形態４に係る光伝送装置を示す構成図である。
【符号の説明】
１　トランスポンダ、２　合波部、３　光増幅部、４　制御部、５　光増幅器、６　不平衡／平衡変換回路、７　不平衡／平衡変換回路、８　平衡／不平衡変換回路、９　パリティ生成回路、１０　パリティ生成回路、１１　パリティチェック回路、１２　ＣＲＣ符号暗号化回路、１３　ＣＲＣ符号暗号化回路、１４　ＣＲＣ符号復号化回路。
【図１】
2004015479.tif 000003
【図２】
2004015479.tif 000004
【図３】
2004015479.tif 000005
【図４】
2004015479.tif 000006